(57)【要約】【課題】表示部の視認性を低下させずに、正規ユーザの私的情報の漏洩を防止できる携帯電子機器を提供すること。【解決手段】携帯電話装置１は、ディスプレイ２１に記憶部３１に記憶されている第１情報を含む第１画像が表示される、または表示されている場合に、撮像部２３により被写体を撮像させ、撮像画像と正規ユーザの顔画像が一致すると判定部３２により判定されたとき、ディスプレイ２１に第１画像の表示または表示の継続を行わせ、当該撮像画像と正規ユーザの顔画像が一致しないと判定部３２により判定されたとき、第１画像に代えてディスプレイ２１に第１画像に比して第１情報が含まれない第２画像の表示を行わせる制御部を備える。【選択図】図２
2011155528.tif 000002
【特許請求の範囲】
【請求項１】
表示部と、
前記表示部に対向する方向の被写体を撮像する撮像部と、
正規ユーザの顔画像、前記正規ユーザの私的情報を示す第１情報を記憶する記憶部と、
前記撮像部により撮像された撮像画像が、前記正規ユーザの顔画像に一致するか否かを判定する判定部と、
前記表示部に前記記憶部に記憶されている前記第１情報を含む第１画像が表示される、または表示されている場合に、前記撮像部により被写体を撮像させ、前記撮像画像と前記正規ユーザの顔画像が一致すると前記判定部により判定されたとき、前記表示部に前記第１画像の表示または表示の継続を行わせ、当該撮像画像と前記正規ユーザの顔画像が一致しないと前記判定部により判定されたとき、前記第１画像に代えて前記表示部に前記第１画像に比して前記第１情報が含まれない第２画像の表示を行わせる制御部と、
を備える携帯電子機器。
【請求項２】
前記制御部に対しての指示の操作がされる操作部を更に備え、
前記制御部は、前記表示部に前記第２画像の表示が行われている場合に、前記操作部に対して操作がされたとき、当該操作に基づく指示を受け付けないことを特徴とする請求項１に記載の携帯電子機器。
【請求項３】
操作部を更に備え、
前記制御部は、前記表示部に前記第２画像の表示が行われると、前記撮像部による撮像を停止させることを特徴とする請求項１または２に記載の携帯電子機器。
【請求項４】
前記制御部は、
前記表示部に前記第２画像の表示が行われている場合に、前記操作部により操作がされたとき、前記撮像部による撮像を再開させ、
前記撮像部による撮像が再開された場合に、前記判定部を起動させ、
撮像を再開した前記撮像部によって撮像された撮像画像と前記正規ユーザの顔画像が一致すると前記判定部により判定された場合、前記第２画像に代えて、当該第２画像が表示される直前に表示されていた画像、または前記第１画像を前記表示部に表示することを特徴とする請求項３に記載の携帯電子機器。
【請求項５】
前記記憶部は、所定の連絡先を記憶し、
前記第２画像は、前記所定の連絡先を示す画像であることを特徴とする請求項１から４のいずれかに記載の携帯電子機器。
【請求項６】
通信部を更に備え、
前記記憶部は、所定の連絡先を記憶し、
前記制御部は、前記表示部に、前記第２画像の表示が行われている場合に、前記操作部が操作を受け付けたとき、前記通信部を介して、前記記憶部に記憶されている前記所定の連絡先に連絡することを特徴とする請求項３または４に記載の携帯電子機器。
【請求項７】
前記制御部は、前記操作部から、前記表示部に前記第１画像の表示を行う操作の要求を受け付けると、前記撮像部および前記判定部を起動させることを特徴とする請求項２または６に記載の携帯電子機器。
【請求項８】
自身の位置情報を取得する位置情報取得部を更に備え、
前記制御部は、前記表示部に前記第２画像の表示が行われている場合に、所定時間が経過した場合または前記操作部から所定の操作を受け付けたとき、前記位置情報取得部により、自身の位置情報を取得し、前記通信部を介して、前記記憶部に記憶されている前記所定の連絡先に、当該位置情報を通知することを特徴とする請求項６のいずれかに記載の携帯電子機器。
【発明の詳細な説明】
【技術分野】
【０００１】
本発明は、表示部により画像を表示する携帯電子機器に関する。
【背景技術】
【０００２】
近年、携帯電話に代表される携帯電子機器には、音声により通話を行う機能の他、メール機能や、インターネット機能といった、様々な通信機能が備えられている。この携帯電子機器では、これら通信機能に係る様々な情報が表示部に表示される。
【０００３】
一方、携帯電子機器は、可搬性を有しており、広域で使用できるという利便性がある。しかしながら、例えば、満員電車の中といったように、人口密度が極めて高い場所では、携帯電子機器を使用した場合に、表示部に表示されている情報が他人に見られてしまうことがある。
【０００４】
特に、表示部に表示されている情報が、携帯電子機器のユーザ宛のメールの内容や、携帯電子機器のユーザに関わる電話番号等である場合には、このユーザのプライバシーが侵害されるおそれがある。
【０００５】
このような問題に対応して、ユーザの私的情報に関わる情報が表示部に表示された場合、この私的情報に関わる情報の視認性を低下させて表示部に表示させる技術が提案されている（例えば、特許文献１参照）。
【先行技術文献】
【特許文献】
【０００６】
【特許文献１】特開２００９−２２３６５１号公報
【発明の概要】
【発明が解決しようとする課題】
【０００７】
しかしながら、上述の提案では、私的情報に関わる情報の視認性が低下するので、携帯電子機器を使用する正規ユーザも、この情報の内容を確認しにくくなってしまう。
【０００８】
本発明は、表示部の視認性を低下させずに、正規ユーザの私的情報の漏洩を防止することができる携帯電子機器を提供することを目的とする。
【課題を解決するための手段】
【０００９】
本発明に係る携帯電子機器は、上記課題を解決するために、表示部と、前記表示部に対向する方向の被写体を撮像する撮像部と、正規ユーザの顔画像、前記正規ユーザの私的情報を示す第１情報を記憶する記憶部と、前記撮像部により撮像された撮像画像が、前記正規ユーザの顔画像に一致するか否かを判定する判定部と、前記表示部に前記記憶部に記憶されている前記第１情報を含む第１画像が表示される、または表示されている場合に、前記撮像部により被写体を撮像させ、前記撮像画像と前記正規ユーザの顔画像が一致すると前記判定部により判定されたとき、前記表示部に前記第１画像の表示または表示の継続を行わせ、当該撮像画像と前記正規ユーザの顔画像が一致しないと前記判定部により判定されたとき、前記第１画像に代えて前記表示部に前記第１画像に比して前記第１情報が含まれない第２画像の表示を行わせる制御部と、を備えることを特徴とする。
【００１０】
また、上記携帯電子機器は、前記制御部に対しての指示の操作がされる操作部を更に備え、前記制御部は、前記表示部に前記第２画像の表示が行われている場合に、前記操作部に対して操作がされたとき、当該操作に基づく指示を受け付けないことが好ましい。
【００１１】
また、上記携帯電子機器は、前記制御部は、前記表示部に前記第２画像の表示が行われると、前記撮像部による撮像を停止させることが好ましい。
【００１２】
また、上記携帯電子機器は、前記制御部は、前記表示部に前記第２画像の表示が行われている場合に、前記操作部により操作がされたとき、前記撮像部による撮像を再開させ、前記撮像部による撮像が再開された場合に、前記判定部を起動させ、撮像を再開した前記撮像部によって撮像された撮像画像と前記正規ユーザの顔画像が一致すると前記判定部により判定された場合、前記第２画像に代えて、当該第２画像が表示される直前に表示されていた画像、または前記第１画像を前記表示部に表示することが好ましい。
【００１３】
また、上記携帯電子機器は、前記記憶部は、所定の連絡先を記憶し、前記第２画像は、前記所定の連絡先を示す画像であることが好ましい。
【００１４】
また、上記携帯電子機器は、通信部を更に備え、前記記憶部は、所定の連絡先を記憶し、前記制御部は、前記表示部に、前記第２画像の表示が行われている場合に、前記操作部が操作を受け付けたとき、前記通信部を介して、前記記憶部に記憶されている前記所定の連絡先に連絡することが好ましい。
【００１５】
また、上記携帯電子機器は、前記操作部から、前記表示部に前記第１画像の表示を行う操作の要求を受け付けると、前記制御部が、前記撮像部および前記判定部を起動させることが好ましい。
【００１６】
また、上記携帯電子機器は、自身の位置情報を取得する位置情報取得部を更に備え、前記制御部は、前記表示部に前記第２画像の表示が行われている場合に、所定時間が経過した場合または前記操作部から所定の操作を受け付けたとき、前記位置情報取得部により、自身の位置情報を取得し、前記通信部を介して、前記記憶部に記憶されている前記所定の連絡先に、当該位置情報を通知することが好ましい。
【発明の効果】
【００１７】
本発明によれば、表示部の視認性を低下させずに正規ユーザの私的情報の漏洩を防止することができる。
【図面の簡単な説明】
【００１８】
【図１】本発明に係る携帯電話装置の外観を示す斜視図である。
【図２】本発明に係る携帯電話装置の機能を示すブロック図である。
【図３】本発明に係る携帯電話装置の正規ユーザの私的情報を示さない第２画像を示す図である。
【図４】本発明に係る携帯電話装置に第１画像が表示されている状態から、第２画像が表示される様子を示す図である。
【発明を実施するための形態】
【００１９】
以下、本発明の実施の形態について説明する。図１は、本発明に係る携帯電子機器の一例である携帯電話装置１の外観斜視図を示す。なお、以下では、携帯電話装置について説明するが、本発明はこれに限定されるものではなく、撮像機能および通信機能を有するものであれば良く、例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００２０】
携帯電話装置１は、操作部側筐体部２と、表示部側筐体部３と、を備えて構成される。操作部側筐体部２は、表面部１０に、操作ボタン群１１と、携帯電話装置１の使用者が通話時に発した音声が入力されるマイク１２と、を備えて構成される。
【００２１】
操作ボタン群１１は、各種設定やインターネット機能やメール機能等の各種機能を動作させるための機能設定操作ボタン１３と、電話番号の数字やメール等の文字等を入力するための入力操作ボタン１４と、各種操作における決定やスクロール等を行う決定操作ボタン１５と、から構成されている。
【００２２】
また、表示部側筐体部３は、表面部２０に、各種の情報を表示するためのディスプレイ２１と、通話の相手側の音声を出力する音声出力部２２と、被写体を撮像するＣＣＤ（Ｃｈａｒｇｅ  Ｃｏｕｐｌｅｄ  Ｄｅｖｉｃｅ）カメラ等により構成される撮像部２３と、音楽等を外部に出力するスピーカ２４と、を備えて構成されている。なお、本実施の形態においては、撮像部２３は、表示部側筐体部３の表面部２０に配置されているが、配置位置はこれに限られず、表面部２０に対向する方向の被写体を撮像可能な位置であれば良い。
【００２３】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とが互いに開いた状態（開放状態）にしたり、操作部側筐体部２と表示部側筐体部３とが折り畳まれた状態（折畳み状態）にしたりできる。
【００２４】
なお、図１は、いわゆる折り畳み型の携帯電話装置の形態を示しているが、本発明に係る携帯電話装置の形態としては特にこれに限られず、操作部側筐体部２と表示部側筐体部３とを重ね合わせた状態から一方の筐体を一方向にスライドさせるようにしたスライド式や、操作部側筐体部２と表示部側筐体部３との重ね合せ方向に沿う軸線を中心に一方の筐体を回転させるようにした回転式（ターンタイプ）等であっても良い。
【００２５】
このように構成される携帯電話装置１は、ディスプレイ２１に、この携帯電話装置１の正規ユーザの私的情報を示す第１画像が表示される、または表示されている場合に、撮像部２３により撮像された画像が、正規ユーザのものであると判定したとき、ディスプレイ２１に第１画像の表示または表示の継続を行わせ、撮像部２３により撮像された画像が、正規ユーザのものでないと判定したとき、ディスプレイ２１に正規ユーザの私的情報を示さない第２画像の表示を行わせる機能を有している。
【００２６】
上述した機能を発揮するための構成について、図２を用いて説明する。携帯電話装置１は、図２に示すように、操作ボタン群１１と、ディスプレイ２１と、撮像部２３と、記憶部３１と、判定部３２と、制御部３３と、通信部３４と、位置情報取得部３５と、座標検出部３６と、を備える。
【００２７】
記憶部３１は、電源を供給しなくても記憶を保持できる不揮発性メモリ等により構成されている。記憶部３１は、例えば、第１記憶部３１ａと、第２記憶部３１ｂと、第３記憶部３１ｃと、から構成される。
【００２８】
第１記憶部３１ａは、正規ユーザの私的情報を示す第１情報を記憶する。ここで、正規ユーザの私的情報を示す第１情報とは、例えば、正規ユーザのメールに係る情報や、アドレス帳に係る情報を示す。これら第１情報は、ディスプレイ２１に表示されるために、第１画像へと画像変換される。すなわち、正規ユーザの私的情報を示す第１画像とは、所定の機能により使用される情報が画像変換されたものをいう。なお、第１画像は、第１情報が画像変換された画像が一部含まれている画像であってもよい。
【００２９】
第２記憶部３１ｂは、図３に示されるような、正規ユーザの私的情報を示さない第２情報を記憶する。そして、第２情報は、第１情報と同様に、第２画像としてディスプレイ２１に表示される。この第２画像は、第２情報より構成されるので、第１画像に比して、第１情報が含まれない画像である。第３記憶部３１ｃは、携帯電話装置１の正規ユーザの顔画像および所定の連絡先を記憶する。
【００３０】
判定部３２は、撮像部２３により撮像された撮像画像が、携帯電話装置１の正規ユーザの顔画像に一致するか否かを判定する。具体的には、判定部３２は、撮像部２３により撮像された撮像画像が、第３記憶部３１ｃに記憶されている携帯電話装置１の正規ユーザの顔画像と完全一致または所定の割合以上で部分一致する場合、当該撮像画像が正規ユーザの顔画像に一致すると判定し、不一致または所定の割合未満で部分一致する場合、当該撮像画像が正規ユーザの顔画像に一致しないと判定する。
【００３１】
制御部３３は、ディスプレイ２１に対する画像の表示制御を行う。具体的には、制御部３３は、ディスプレイ２１に、第１記憶部３１ａに記憶されている正規ユーザの私的情報を示す第１画像が表示される、または表示されている場合に、撮像部２３により被写体を撮像させる。続いて、制御部３３は、撮像部２３により撮像された撮像画像と正規ユーザの顔画像が一致すると判定部３２により判定された場合、ディスプレイ２１に第１画像の表示または表示の継続を行わせる。また、制御部３３は、撮像部２３により撮像された撮像画像と正規ユーザの顔画像が一致しないと判定部３２により判定された場合、ディスプレイ２１に第２画像の表示を行わせる。
【００３２】
したがって、携帯電話装置１は、この携帯電話装置１の正規ユーザが使用している場合には、ディスプレイ２１に、視認性を低下させることなく正規ユーザの私的情報を示す第１画像を表示させ、正規ユーザが使用していない場合には、ディスプレイ２１に、正規ユーザの私的情報を示さない第２画像を表示させるので、ディスプレイ２１の視認性を低下させずに正規ユーザの私的情報の漏洩を防止することができる。
【００３３】
また、制御部３３は、ディスプレイ２１に、第２記憶部３１ｂに記憶されている第２画像の表示が行われると、撮像部２３による撮像を停止させ、ディスプレイ２１に第２記憶部３１ｂに記憶されている第２画像の表示が行われている場合に、操作ボタン群１１が操作されたとき、撮像部２３による撮像を再開させる。
【００３４】
したがって、携帯電話装置１は、ディスプレイ２１に、正規ユーザの私的情報を示さない第２画像が表示されている場合に、撮像部２３による撮像を停止させるので、第２画像が表示されている状態における撮像部２３の消費電力を抑制できる。
【００３５】
また、制御部３３は、撮像部２３による撮像が再開された場合に、判定部３２を起動させる。そして、制御部３３は、撮像を再開した撮像部２３によって撮像された撮像画像と正規ユーザの顔画像が一致すると判定部３２により判定された場合、第２画像に代えて、第１画像をディスプレイ２１に表示するように制御する。
【００３６】
具体的には、制御部３３は、撮像部２３による撮像が再開し、撮像部２３により撮像された撮像画像と正規ユーザの顔画像が一致すると判定部３２により判定された場合、第２画像の表示を行わずに、携帯電話装置１に予め設定されている待受画像の表示を行う。そして、制御部３３は、操作ボタン群１１を介して操作を受け付ける。
【００３７】
したがって、携帯電話装置１は、撮像再開後の撮像画像と正規ユーザの顔画像が一致すると判定部３２により判定された場合、第２画像の表示を行わずに待受画像の表示を行い、次の操作を受け付けるので、正規ユーザに対する利便性を損なうことなく、正規ユーザの私的情報の漏洩を防止することができる。
【００３８】
なお、制御部３３は、第２画像の表示を行うディスプレイ２１に表示させていた直前の画像を記憶部３１に記憶させてもよい。そして、制御部３３は、撮像部２３による撮像が再開し、撮像画像と正規ユーザの顔画像が一致すると判定部３２により判定された場合、第２画像に代えて第１画像の表示を行わずに、記憶部３１に記憶させていた直前の画像の表示を行ってもよい。
【００３９】
また、制御部３３は、第２画像がディスプレイ２１に表示されている場合に、ユーザの私的情報の表示を要求するような指示操作を操作ボタン群１１が受け付けたとき、当該指示操作を受け付けないようにしてもよい。例えば、制御部３３は、第２画像がディスプレイ２１に表示されている場合にメールの閲覧要求操作を操作ボタン群１１が受け付けたとき、当該要求に応じた制御を行わない。このように構成されることによって、携帯電話装置１に記憶されているユーザの個人情報等が、他人に勝手に覗き見されることを防止することができる。
【００４０】
また、第２画像は、所定の連絡先を示す画像である。例えば、第２画像は、図３（ａ）に示すように、携帯電話装置１に係るサービスを行う事業者の連絡先である。
【００４１】
このようにすることで、正規ユーザが携帯電話装置１を紛失した場合、この携帯電話装置１のディスプレイ２１には、第３記憶部３１ｃに記憶されている、公的機関の連絡先等の所定の連絡先を示す第２画像が表示される。よって、この携帯電話装置１の拾得者は、第２画像に示される連絡先に連絡することが可能となる。また、例えば、公的機関において、正規ユーザの住所等の連絡先を管理することにより、拾得者からの連絡に応じて、携帯電話装置１の紛失した正規ユーザへの連絡が可能となり、サービスの向上に資することができる。
【００４２】
なお、第２画像は、公的機関の連絡先を示す画像の他に、図３（ｂ）に示すように、正規ユーザが外部に発信したい情報を示す画像であってもよい。このようにすることで、正規ユーザは、第２画像を介して、外部に情報を発信することができる。
【００４３】
なお、第２画像は、公的機関の連絡先を示す画像の他に、電車の運行情報や天気予報等の情報を示す画像であってもよい。このようにすることで、正規ユーザは、正規ユーザの私的情報の漏洩を防止することができるとともに、外部に有益な情報を発信することができる。
【００４４】
通信部３４は、メインアンテナ３４１とＲＦ回路部３４２とを備えて構成され、所定の通信先と通信を行う。通信部３４が通信を行う通信先としては、携帯電話装置１と電話やメールの送受信を行う外部の端末装置や、携帯電話装置１がインターネットの接続を行う外部のｗｅｂサーバ等の外部装置が挙げられる。
【００４５】
また、制御部３３は、ディスプレイ２１に、第２画像の表示が行われている場合に、操作ボタン群１１が操作を受け付けたとき、通信部３４を介して、第３記憶部３１ｃに記憶されている所定の連絡先に連絡する。
すなわち、制御部３３は、ディスプレイ２１に、第２画像の表示が行われている場合に、操作ボタン群１１により操作を受け付けたとき、通信部３４を介して、第３記憶部３１ｃに記憶されているメールアドレスに対して、第２画像の表示が行われている内容を示すメールを送信する。
【００４６】
ここで、第３記憶部３１ｃに記憶されている所定の連絡先とは、正規ユーザが携帯電話装置１とは異なる装置で内容を確認するためのメールアドレスである。なお、所定の連絡先とは、メールアドレスに限らず、例えば、正規ユーザの自宅の電話番号等の、正規ユーザが携帯電話装置１とは異なる装置で内容を確認するための手段であればよい。
【００４７】
したがって、例えば、正規ユーザが紛失した携帯電話装置１が他人に拾得されて、操作ボタン群１１が操作を受け付けた場合に、携帯電話装置１は、正規ユーザに対して、第２画像の表示が行われていることを連絡する。よって、正規ユーザは、携帯電話装置１を紛失した場合に、私的情報が漏洩していないことを確認できる。
【００４８】
また、制御部３３は、操作ボタン群１１から、ディスプレイ２１に正規ユーザの私的情報を示す第１画像の表示を行う操作の要求を受け付けると、撮像部２３および判定部３２を起動させる。
【００４９】
具体的には、制御部３３は、操作ボタン群１１から、ディスプレイ２１に正規ユーザの私的情報を示す第１画像の表示を行う操作の要求を受け付けると、撮像部２３および判定部３２を起動させて、判定部３２に、撮像部２３により撮像された撮像画像が、正規ユーザの顔画像に一致するか否かを判定させる。
【００５０】
このようにして、携帯電話装置１は、正規ユーザの私的情報を示す第１画像がディスプレイ２１に表示されるタイミングで、撮像部２３および判定部３２を起動させて、私的情報の漏洩を防止することができる。また、携帯電話装置１は、撮像部２３および判定部３２を常に起動させないので、撮像部２３および判定部３２の消費電力を抑制できる。
【００５１】
また、制御部３３は、ディスプレイ２１に第２画像の表示が行われている場合に、所定時間が経過した場合または操作ボタン群１１から所定の操作を受け付けたとき、位置情報取得部３５により、自身の位置情報を取得し、通信部３４を介して、第３記憶部３１ｃに記憶されている所定の連絡先に、この位置情報を通知する。
【００５２】
位置情報取得部３５は、ＧＰＳ（Ｇｌｏｂａｌ  Ｐｏｓｉｔｉｏｎｉｎｇ  Ｓｙｓｔｅｍ）受信アンテナ３５１と、ＧＰＳ回路部３５２と、を備える。位置情報取得部３５は、ＧＰＳ機能により自身（携帯電話装置１）の位置を示す位置情報を取得する。具体的には、ディスプレイ２１に第２画像の表示が行われている場合に、所定時間が経過したとき、または操作ボタン群１１から所定の操作を受け付けたときに、ＧＰＳ受信アンテナ３５１は、ＧＰＳ通信のための周波数帯（例えば、１．５ＧＨｚ）でＧＰＳ衛星と通信を行う。そして、ＧＰＳ回路部３５２は、ＧＰＳ受信アンテナ３５１により受信されたＧＰＳ情報に所定の処理を行い、処理後の信号を携帯電話装置１の位置情報として、制御部３３に供給する。
【００５３】
このようにして、携帯電話装置１は、所定の連絡先に位置情報を通知する。したがって、紛失した携帯電話装置１が他人に拾得されて操作ボタン群１１が操作を受け付けられた場合に、正規ユーザは、携帯電話装置１の位置を確認できる。よって、紛失した携帯電話装置１が正規ユーザに戻る可能性を高めることができる。
【００５４】
ここで、携帯電話装置１のディスプレイ２１に、第１画像が表示されている状態から、第２画像が表示される様子を図４に模式的に示す。図４（ａ）は、第１画像として、携帯電話装置１の正規ユーザの私的情報を示すメールの内容が、ディスプレイ２１に表示されている状態を示す図である。
【００５５】
図４（ａ）の状態において、制御部３３は、撮像部２３により被写体を撮像させ、撮像画像と正規ユーザの顔画像が一致すると判定部３２により判定された場合、ディスプレイ２１に第１画像の表示の継続を行わせる。すなわち、撮像画像と正規ユーザの顔画像が一致すると判定部３２により判定された場合、制御部３３は、ディスプレイ２１に、図４（ａ）に示される第１画像の表示を継続させる。
【００５６】
また、制御部３３は、撮像画像と正規ユーザの顔画像が一致しないと判定部３２により判定された場合、ディスプレイ２１に第２記憶部３１ｂに記憶されている第２画像の表示を行わせる。すなわち、撮像画像と正規ユーザの顔画像が一致しないと判定部３２により判定された場合、制御部３３は、ディスプレイ２１に、図４（ｂ）に示される第２画像の表示を行う。なお、図４に示す表示態様は一例であって、これに限られない。
【００５７】
座標検出部３６は、３軸加速度センサにより構成される。座標検出部３６は、３軸加速度センサにより、携帯電話装置１における３軸方向（Ｘ，Ｙ，Ｚ）の加速度を検出し、この携帯電話装置１の３次元的な座標を検出する。座標検出部３６により検出された座標情報は、制御部３３に供給される。
【００５８】
また、制御部３３は、座標検出部３６により供給された座標が所定値以上変化し、かつ、ディスプレイ２１に記憶部に記憶されている第１画像が表示される、または表示されている場合に、撮像部２３および判定部３２を起動させる。
【００５９】
このようにすることで、携帯電話装置１では、自身が動かされた事象を検出し、この場合に撮像部２３および判定部３２を起動させる。よって、携帯電話装置１は、正規ユーザが携帯電話装置１のディスプレイ２１と対向しない状態になり、他人がディスプレイ２１に表示されている私的情報を確認できる状態においても、私的情報の漏洩を防止できる。
【符号の説明】
【００６０】
１  携帯電話装置（携帯電子機器）
１１  操作ボタン群（操作部）
２１  ディスプレイ（表示部）
２３  撮像部
３１  記憶部
３１ａ  第１記憶部
３１ｂ  第２記憶部
３１ｃ  第３記憶部
３２  判定部
３３  制御部
３４  通信部
３５  位置情報取得部
３６  座標検出部
【図１】
2011155528.tif 000003
【図２】
2011155528.tif 000004
【図３】
2011155528.tif 000005
【図４】
2011155528.tif 000006